(57)【要約】【課題】穀稈を引起しする各引起装置間からの前方視界を良好にすると共に、走行車速を変速する運転操作装置の操作手段の主変速レバーと、副変速レバーとの操作を容易にしようとするものである。【解決手段】刈取る穀稈を引起しする複数の引起装置５，５間には、運転操作装置８の操作手段９の走行車速を変速する主変速レバー１０と、副変速レバー１１とのいずれか一方、又は両方を配設する。三条列を刈取る刈取機３の正面視右側端部と、右側から二番目との引起装置５，５間に配設する。又、刈取機３を上昇操作したときには、主・副変速レバー１０，１１は、各引起装置５，５に、側面視オーバーラップさせて設けた構成である。【選択図】図１
2004024134.tif 000002
【特許請求の範囲】
【請求項１】
走行車台２の前部には、多条列の立毛穀稈を刈取りする刈取機３と、該刈取機３の穀稈を引起しする上部を接続しない複数の引起装置５等とを設けたコンバインにおいて、正面視該引起装置５，５間には、運転操作装置８の操作手段９を配設したことを特徴とするコンバインの操作レバー装置。
【請求項２】
前記運転操作装置８の操作手段９の走行車速を変速する主変速レバー１０と、副変速レバー１１とのいずれか一方、又は両方を配設したことを特徴とする請求項１に記載のコンバインの操作レバー装置。
【請求項３】
請求項１、又は請求項２において、三条列の穀稈を刈取る前記刈取機３の正面視右側端部と、右側から二番目との引起装置５，５間には、主変速レバー１０と、副変速レバー１１とを配設したことを特徴とするコンバインの操作レバー装置。
【請求項４】
前記刈取機３を上昇操作したときに、引起装置５，５間の主変速レバー１０と、副変速レバー１１とは、側面視オーバーラップすべく設けたことを特徴とする請求項１、又は請求項２、又は請求項３に記載のコンバインの操作レバー装置。
【発明の詳細な説明】
【０００１】
【発明の属する技術分野】
この発明は、刈取る穀稈を引起しする複数の引起装置間には、運転操作装置の操作手段の走行車速を変速する主変速レバーと、副変速レバーとを位置させて設けた技術であり、コンバインの操作レバー装置として利用できる。
【０００２】
【従来の技術】
多条列用のコンバインで立毛穀稈の収穫作業は、このコンバインの走行車台の上方部の前部から左横側部に亘って設けた運転操作装置の操作手段の各種操作レバーを操作すると共に、走行車速を変速する主変速レバー、及び副変速レバーとを操作して、適宜な走行速度を設定して、走行させるが、これら主・副変速レバーは、刈取機の前部の穀稈を引起しする上部を接続した各引起装置の右側端部に設けた引起装置の後方部で、運転操作装置に設けている。
【０００３】
前記コンバインを穀稈の植付圃場を走行させて、走行車台の前部に設けた多条列の穀稈刈取り用の刈取機により、穀稈は刈取りされ、この刈取機で刈取り穀稈は、後方上部へ移送されて、脱穀機へ供給され、この脱穀機内を挟持移送中に脱穀され、脱穀済み穀粒は、穀粒貯留タンク内へ供給されて、一時貯留される。
【０００４】
【発明が解決しようとする課題】
各引起装置の上部は、接続部材で接続されていることにより、前方視界が悪かったり、又、右端部の引起装置の後側で、走行車台の上方部には、運転操作装置の操作手段の主・副変速レバー等を設けていることにより、レバー全長を長くすると、引起装置の後側面へ当接することにより、レバー全長を短くしていることにより、操作性が低下していたが、この発明により、これらの問題点を解決しようとするものである。
【０００５】
【課題を解決するための手段】
このために、この発明は、請求項１に記載の発明においては、走行車台２の前部には、多条列の立毛穀稈を刈取りする刈取機３と、該刈取機３の穀稈を引起しする上部を接続しない複数の引起装置５等とを設けたコンバインにおいて、正面視該引起装置５，５間には、運転操作装置８の操作手段９を配設したことを特徴とするコンバインの操作レバー装置としたものである。
【０００６】
多条列用のコンバインで立毛穀稈の収穫作業は、このコンバインの走行車台２の上方部の前部から左横側部に亘って設けた運転操作装置８の操作手段９の各種操作レバーを操作すると共に、走行車速を変速する主変速レバー１０と、副変速レバー１１とを操作して、適宜な走行速度等を設定して、走行させるが、この操作手段９の主・副変速レバー１０，１１は、刈取機３の前部の穀稈を引起しする上部を接続部材で接続しない各引起装置５の右端部に設けた、この引起装置５と、右側から二番目の引起装置５との間の後方部の運転操作装置８へ配設している。
【０００７】
前記コンバインを穀稈の植付圃場を走行させて、走行車台２の前部に設けた多条列の穀稈刈取り用の刈取機３により、穀稈は刈取りされ、この刈取機３で刈取り穀稈は、後方上部へ移送されて、脱穀機へ供給され、この脱穀機内を挟持移送中に脱穀され、脱穀済み穀粒は、穀粒貯留タンク内へ供給されて、一時貯留される。
【０００８】
請求項２に記載の発明においては、前記運転操作装置８の操作手段９の走行車速を変速する主変速レバー１０と、副変速レバー１１とのいずれか一方、又は両方を配設したことを特徴とする請求項１に記載のコンバインの操作レバー装置としたものである。
【０００９】
前記運転操作装置８の操作手段９の走行車速を変速する主変速レバー１０と、副変速レバー１１とのいずれか一方、又は両方が引起装置５，５間へ配設され、これら主・副変速レバー１０，１１の操作により、適宜の走行車速が設定され、この設定された走行車速で穀稈の刈取り収穫作業が行われる。
【００１０】
請求項３に記載の発明においては、請求項１、又は請求項２において、三条列の穀稈を刈取る前記刈取機３の正面視右側端部と、右側から二番目との引起装置５，５間には、主変速レバー１０と、副変速レバー１１とを配設したことを特徴とするコンバインの操作レバー装置としたものである。
【００１１】
三条列の穀稈を刈取る前記刈取機３の正面視右側端部の引起装置５と、右側から二番目の引起装置５との間には、運転操作装置８の操作手段９の主変速レバー１０と、副変速レバー１１とが配設され、これら主・副変速レバー１０，１１の操作により、適宜に走行車速が設定され、この設定された走行車速で穀稈の刈取り収穫作業が行われる。
【００１２】
請求項４に記載の発明においては、前記刈取機３を上昇操作したときに、引起装置５，５間の主変速レバー１０と、副変速レバー１１とは、側面視オーバーラップすべく設けたことを特徴とする請求項１、又は請求項２、又は請求項３に記載のコンバインの操作レバー装置としたものである。
【００１３】
前記コンバインの刈取機３を条終端部で、旋回するときは、この刈取機３を上昇操作するが、この上昇操作したときには、右端部の引起装置５と、右側から二番目の引起装置５との間に、運転操作装置８の操作手段９の主変速レバー１０と、副変速レバー１１とは、この各引起装置５，５間に位置して、側面視オーバーラップ状態となり、これら主・副変速レバー１０，１１は各引起装置５への当接が可否できる状態で旋回を行うことができる。
【００１４】
【発明の効果】
請求項１に記載の発明においては、穀稈を引起しする引起装置５，５間には、運転操作装置８の操作手段９を設けると共に、各引起装置５の上部を接続する接続部材を廃止したことにより、前方視界は、該操作手段９を操作しながらでも、良好になった。
【００１５】
請求項２に記載の発明においては、前記操作手段９の走行車側を変速する主変速レバー１０と、副変速レバー１１とのいずれか一方、又は両方を配設したことにより、使用頻度が多く、又、主・副変速レバー１０，１１のレバー長さを長くして、これらを配設することができることにより、前方視界が良好になる。
【００１６】
請求項３に記載の発明においては、三条列の穀稈刈取り用の前記刈取機３の正面視右側端部と、右側から二番目との各引起操作５，５間に、主・副変速レバー１０，１１を設けたことにより、コンバインのこの刈取機３で全面刈りができると共に、左右巾をコンパクトにすることができる。
【００１７】
請求項４に記載の発明においては、前記刈取機３を上昇操作したときには、主・副変速レバー１０，１１は、側面視各引起装置５へオーバーラップすることにより、コンバイン全体の全長を短くすることができる。
【００１８】
【発明の実施の形態】
以下、本発明の一実施例を図面に基づいて説明する。
コンバイン１の走行車台２の前方部には、立毛穀稈を刈取り移送する刈取機３を設けた構成である。この刈取機３は、多条列である三条列の穀稈を刈取る構成である。この刈取機３の前部には、穀稈を引起しする左右両方と、略中央部とに、各引起装置５を設けた構成であると共に、走行車台２の前方上部から左側に亘って、コンバイン１を運転操作する運転操作装置８を設け、この運転操作装置８には、操作手段９である走行車速を変速する主変速レバー１０、副変速レバー１１、及び各種操作レバー１２等を設け、この操作手段９の主・副変速レバー１０，１１は、右端部と、右から二番目の各引起装置５間に位置させて設けた構成である。操作手段９と、引起装置５とを主に図示して説明する。
【００１９】
前記多条列用のコンバイン１の下側には、図１〜図１４で示す如く土壌面を走行する左右一対の走行クローラ１３ａを張設した走行装置１３を配設し、走行車台２の上側には、脱穀機１４を載置した構成である。走行車台２の前側の刈取機３で三条列の立毛穀稈を刈取りし、この刈取り穀稈は、この刈取機３で後方上部へ移送され、脱穀機１４のフィードチェン１５ａと、挟持杆１５ｂとで引継ぎされて、挟持移送されながら脱穀される。脱穀済みで選別済み穀粒は、脱穀機１４の右横側に配設した穀粒貯留タンク１６内へ一時貯留される。
【００２０】
前記走行車台２の前側には、図１〜図６、及び図１１〜図１４で示す如く前端位置から立毛穀稈を分離するナローガイド４ａ、及び各分草体４ｂと、立毛穀稈を引起しする左右両側端部と、略中央部とには、各引起装置５と、引起された穀稈を掻込みする穀稈掻込移送装置６の掻込装置６ａと、掻込みされた穀稈を刈取る刈刃装置４ｃと、刈取りされた穀稈を挟持移送して、脱穀機１４のフィードチェン１５ａと、挟持杆１５ｂとへ受渡しする穀稈掻込移送装置６の根元・穂先移送装置７ａ・７ｂ等からなる刈取機３を設けている。該刈取機３は、油圧駆動による伸縮シリンダ１８により、土壌面に対して、昇降自在に移動する構成である。
【００２１】
前記刈取機３の前方下部から後方上部へ傾斜する支持杆２０ａの上端部には、左右方向に支持パイプ杆２０ｂを設け、この支持パイプ杆２０ｂを走行車台２の上側面に設けた支持装置２１で回動自在に支持させて、伸縮シリンダ１８の作動により、刈取機３は支持パイプ杆２０ｂを回動中心として、上下に回動する構成である。
【００２２】
前記刈取機３の穀稈掻込移送装置６によって形成される穀稈移送経路中には、刈取られて移送される穀稈に接触作用することにより、脱穀機１４へ穀稈の供給の有無を検出する穀稈センサ１７を設けた構成である。
前記刈取機３の正面視右端部の引起装置５と、右側から二番目（中央部）の引起装置５との間には、図１〜図６で示す如く詳細後述する運転操作装置８の操作手順９を配設した構成である。又、左右両側と、略中央部とに設けた各引起装置５の上方部は、従来のように連結部材で接続せずに、穀稈を引起し移送する引起し移送作用部は、下端部から上端部間は、開放状態に形成した構成である。各引起装置５は、前後両側の引起ケース５ａ内へ引起チェン５ｂを内装して設けると共に、この引起チェン５ｂには、所定間隔で引起ラグ５ｃを装着して、引起チェンケース５ａより、突出させて、穀稈を引起し移送する構成である。
【００２３】
穀稈を引起し移送する右端部側と、右側より二番目との各引起装置５，５間には、運転操作装置８の操作手段９を設けると共に、各引起装置５の上部を接続する接続部材を廃止したことにより、前方視界は、操作手段９を操作しながら行えることにより、前方視界は、良好になった。
【００２４】
前記運転操作装置８の操作手段９の走行車速を変速する主変速レバー１０と、副変速レバー１１とのいずれか一方、又は両方を、図１〜図６で示す如く正面視右端部と、右側から二番目との引起装置５，５間に位置させて配設した構成である。
【００２５】
前記運転操作装置８の操作手段９の走行車速を変速する主変速レバー１０と、副変速レバー１１とのいずれか一方、又は両方を、引起装置５，５間に配設したことにより、使用頻度が多く、又、主・副変速レバー１０，１１のレバー長さを長くでき、長くした、これらを配設したことにより、前方の視界を良好にすることができた。
【００２６】
多条列用の前記コンバインには、図１〜図６で示す如く三条列の穀稈を刈取る刈取機３を、走行車台２の前部に設け、この刈取機３の正面視右側端部と、右側から二番目との引起装置５，５間には、主変速レバー１０と、副変速レバー１１とを配設した構成である。
【００２７】
三条列の穀稈を刈取る前記刈取機３の正面視右側端部の引起装置５と、右側から二番目との引起装置５との間には、図１〜図６で示す如く運転操作装置８の操作手段９の走行車速を変速する主変速レバー１０と、副変速レバー１１とを配設した構成である。
【００２８】
三条列の穀稈刈取り用の前記刈取機３の正面視右側端部と、右側から二番目との各引起装置５，５間には、主・副変速レバー１０，１１を設けたことにより、コンバイン１のこの刈取機３で全面刈取りができると共に、左右巾をコンパクトにすることができる。
【００２９】
前記コンバイン１の刈取機３で条終端部まで刈取り作業が終了して、このコンバイン１を旋回させて、隣接条へ移動させるときには、刈取機３を操作レバー１２を操作して、上昇操作するが、この上昇操作したときには、右端部と、右から二番目の引起装置５，５間へ操作手段９の走行車速を変速する主変速レバー１０と、副変速レバー１１とは、挿入状態になると共に、これら引起装置５，５へ側面視オーバーラップ状態になる構成である。
【００３０】
前記刈取機３を上昇操作したときには、主変速レバー１０と、副変速レバー１１とは、引起装置５，５間へ挿入状態になると共に、側面視オーバーラップ状態になることにより、コンバイン１全体の全長を短くすることができる。又、操作が容易になる。
【００３１】
前記刈取機３は、図７〜図１１で示す如く刈取り作業状態と、非作業状態との右外側へ回動させる回動装置２２により、回動自在な構成である。
前記回動装置２２は、図７〜図１１で示す如く走行車台２の前フレーム２ａには、受主柱２４を回着して設け、この受主柱２４の上端部には、上受板２４ａと、下部には、下受板２４ｂとを固着して設けると共に、ミッションケース２３の上側面には、箱形状の取付具２７を、各ハンドル２７ｂ付の各取付用ボルト２７ａにより、装着すると共に、この取付具２７には、略Ｌ字形状の回動杆２５ａの一方側端部を固着して設け、この回動杆２５ａの他方側端部は、回動主柱２５の上部へ挿入して固着した構成である。又、回動主柱２５の上部には、取付板２６を挿入して設け、この取付板２６の上壁板部２６ａには、前後方向に所定間隔で長孔２６ｂ，２６ｂを設けた構成である。
【００３２】
前記回動主柱２５の下部は、受主柱２４の下受板２４ｂへ挿入して支持させると共に、上部は、回動主柱２５の上部に設けた取付板２６を、受主柱２４の上端部の上受板２４ａ上へ重合させて、取付板２６の長孔２６ａ，２６ａ部をボルト２８ａ、及びナット２８ｂで締付けした構成である。
【００３３】
前記受主柱２４の後側と、左側部とには、調整用ボルト２９，２９を設けて、調節により、刈取機３を所定位置へ各長孔２６ａ、及び回動支柱２５等により、装着可能な構成である。又、刈取機３を右外側へ回動させるときには、ミッションケース２３の上側へ装着した取付具２７を締付け用のハンドル２７ｂ付の取付用ボルト２７ａ，２７ａの締付けを取り外して、回動主柱２５を回動中心として、右外側へ回動する構成である。
【００３４】
前記回動支柱２５の下部には、取付板１９を設け、この取付板１９へ伸縮シリンダ１８の基部を装着した構成である。この伸縮シリンダ１８は、回動支柱２５の回動により、同時に右外側へ回動する構成である。
これにより、前記回動装置２２の取付板２６へ調節ボルト２９，２９を設けて、刈取機３の取付位置を調整できることにより、この刈取機３は、常に所定位置へセットすることができ、このために、穀稈の移送性能の向上、又、取付具２７をギャーケース２３への締付けが容易である。更に、各部品精度の若干不良があったときでも、これを解消することができる。ハンドル２７ｂ付の各取付用ボルト２７ａにより、回動装置２２を締付けする構成としたことにより、この取付用ボルト２７ａは、運転作業者が操縦席３１へ搭乗した状態で操作できることにより、操作が簡単であり、刈取機３を右外側への回動が容易となり、この刈取機３、及び走行装置１３等のメンテナンスが容易になった。又、ボルト方式としたことにより、コスト低減を図ることができた。
【００３５】
前記脱穀機１４側で、走行車台２の上側の前部から左側部に亘る間には、図１〜図６で示す如くコンバイン１を始動、停止、及び各部を調節等の操作を行う略箱形状の運転操作装置８と、これら操作を行う作業者が搭乗する操縦席３１とを設け、この操縦席３１の下側で、走行車台２の上側面には、エンジン３０を載置すると共に、後方部には、穀粒貯留タンク１６を配設する。これら走行装置１３と、刈取機３と、脱穀機１４と、エンジン３０等により、コンバイン１の機体１ａを形成した構成である。
【００３６】
前記運転操作装置８の操作手段９は、図１〜図６、及び図１２〜図１４で示す如く走行車速を設定する主変速レバー１０、副変速レバー１１、ストロットレバー、刈脱レバー、穀粒排出レバー、穀粒旋回レバー等の各種操作レバー１２、各種始動スイッチ、及び各種調節スイッチ（スイッチ類は、共に図示せず）等を設けて、コンバイン１で穀稈の刈取り収穫作業を行う構成である。
【００３７】
前記走行車台２の前端部に装架した走行用のミッションケース２３内の伝動機構２３ａの伝動経路中には、その出力に基づいて、走行車速を検出するポテンションメータ方式の車速センサ２３ｂを設けた構成である。
前記穀粒貯留タンク１６内に貯留した穀粒を機外へ排出するこの穀粒貯留タンク１６の後側には、縦移送螺旋３２ａを内装した排出支持筒３２を略垂直姿勢で旋回自在に装着して設け、この排出支持筒３２の上端部には、その全長がコンバイン１の前後長に亘る機外へ穀粒を排出する排出螺旋３３ａを伸縮自在に内装した排出オーガ３３を伸縮自在、上下回動自在、及び左右旋回自在に前後方向に配設した構成である。
【図面の簡単な説明】
【図１】刈取機の拡大正面図
【図２】刈取機の拡大側面図
【図３】刈取機の主変速レバー部の拡大正面図
【図４】刈取機の主変速レバー部の拡大平面図
【図５】刈取機の副変速レバー部の拡大側面図
【図６】刈取機の副変速レバー部の拡大平面図
【図７】刈取機の回動装置部の拡大側面図
【図８】刈取機の回動装置部の拡大側面斜視図
【図９】刈取機の回動装置部の拡大平面図
【図１０】刈取機の回動装置部の回動時（非作業時）拡大平面図
【図１１】刈取機の回動装置部の拡大正面図
【図１２】コンバインの右側面斜視図
【図１３】コンバインの左側の側面図
【図１４】コンバインの右側の側面図
【符号の説明】
２　　　走行車台
３　　　刈取機
５　　　引起装置
８　　　運転操作装置
９　　　操作手段
１０　　主変速レバー
１１　　副変速レバー
【図１】
2004024134.tif 000003
【図２】
2004024134.tif 000004
【図３】
2004024134.tif 000005
【図４】
2004024134.tif 000006
【図５】
2004024134.tif 000007
【図６】
2004024134.tif 000008
【図７】
2004024134.tif 000009
【図８】
2004024134.tif 000010
【図９】
2004024134.tif 000011
【図１０】
2004024134.tif 000012
【図１１】
2004024134.tif 000013
【図１２】
2004024134.tif 000014
【図１３】
2004024134.tif 000015
【図１４】
2004024134.tif 000016